(57)【要約】【課題】確実に警報器の状態をユーザに報知することができる警報器を提供する。【解決手段】マイコン７は、警報器１の電池電圧低下を検出している。また、マイコン７は、照度検出部７からの検出結果に基づいて報知タイミングの到来を検出し、電池電圧低下が検出された場合、報知タイミングの到来が検出されたとき、及び、報知タイミングの到来が検出されない状態が所定時間以上継続したとき、電池電圧低下を報知する。【選択図】図１
2015184964.tif 000002
【特許請求の範囲】
【請求項１】
異常を検出するとその旨の警報を発生する警報器であって、
前記警報器の状態を検出する状態検出手段と、
人の動き又は人による機器の使用状況に基づいて報知タイミングの到来を検出するタイミング検出手段と、
前記状態検出手段により前記警報器の状態が異常であることが検出された場合、前記タイミング検出手段によって報知タイミングの到来が検出されたとき、及び、前記タイミング検出手段によって報知タイミングの到来が検出されない状態が所定時間以上継続したとき、前記警報器の状態が異常である旨を報知する第１報知手段と、を備えた
ことを特徴とする警報器。
【請求項２】
前記状態検出手段により前記警報器の状態が正常であることが検出された場合、前記タイミング検出手段によって報知タイミングの到来が検出されたとき、前記警報器の状態が正常である旨の報知を行い、前記タイミング検出手段によって報知タイミングの到来が検出されない状態が前記所定時間以上継続しても、前記警報器の状態が正常である旨の報知を行わない第２報知手段を備えた
ことを特徴とする請求項１に記載の警報器。
【請求項３】
人の動き又は人による機器の使用状況を検出するための人センサを備え、
前記タイミング検出手段は、前記人センサの検出結果に基づいて前記報知タイミングの到来を検出する
ことを特徴とする請求項１又は２に記載の警報器。
【請求項４】
他の警報器と通信を行う通信手段と、
前記通信手段により前記他の警報器の状態が異常である旨を受信した場合、前記タイミング検出手段によって報知タイミングの到来が検出されたとき、及び、前記タイミング検出手段によって報知タイミングの到来が検出されない状態が所定時間以上継続したとき、前記他の警報器の状態が異常である旨を報知する第３報知手段と、を備えた
ことを特徴とする警報器。
【請求項５】
ガスの消費量を計測し、当該計測した消費量をセンタ装置に送信するガスメータと、
請求項３に記載された警報器と、を備え、
前記ガスメータが、前記ガスの消費量及び前記警報器の人センサの検出結果に基づいて、人の異変を検出してその旨を前記センタ装置に送信する
ことを特徴とする通報システム。
【発明の詳細な説明】
【技術分野】
【０００１】
本発明は、警報器及び通報システムに関するものである。
【背景技術】
【０００２】
従来より、火災やガス漏れを検出して警報を発生する警報器が広く利用されている。このような警報器は、例えば電池切れ、故障、交換期限を過ぎているなど警報器の状態をユーザに報知することが必要になる。
【０００３】
しかしながら、従来の警報器は、例えば電池切れを検出すると、直ちに音声やランプの点灯により電池切れを報知していた。このため、夜中に突然電池切れ報知が発生してユーザに不快感を与えたり、また、人がいない状態で電池切れ報知が発生し続けてしまい無駄に電池を消耗する恐れがあった。
【０００４】
そこで、ユーザがスイッチを押下したときのみ電池切れなど警報器の状態を報知する警報器も提案されている。しかしながら、この場合、例えば都市ガス警報器のように天井付近に設置しているものはスイッチを押下するのが非常に煩わしい。
【０００５】
そこで、光、赤外線、音などを検出するセンサに基づいてユーザが警報器の近くにいると判定できたときに、警報器の状態を報知するものも考えられている（特許文献１）。しかしながら、この場合、センサの故障が発生すると、警報器の状態を報知することができない、という問題が生じていた。
【先行技術文献】
【特許文献】
【０００６】
【特許文献１】特許第４７５６７３４号
【発明の概要】
【発明が解決しようとする課題】
【０００７】
そこで、本発明は、確実に警報器の状態をユーザに報知することができる警報器及び当該警報器に接続された通報システムを提供することを課題とする。
【課題を解決するための手段】
【０００８】
上記課題を解決するためになされた請求項１記載の発明は、異常を検出するとその旨の警報を発生する警報器であって、前記警報器の状態を検出する状態検出手段と、人の動き又は人による機器の使用状況に基づいて報知タイミングの到来を検出するタイミング検出手段と、前記状態検出手段により前記警報器の状態が異常であることが検出された場合、前記タイミング検出手段によって報知タイミングの到来が検出されたとき、及び、前記タイミング検出手段によって報知タイミングの到来が検出されない状態が所定時間以上継続したとき、前記警報器の状態が異常である旨を報知する第１報知手段と、を備えたことを特徴とする警報器に存する。
【０００９】
請求項２記載の発明は、前記状態検出手段により前記警報器の状態が正常であることが検出された場合、前記タイミング検出手段によって報知タイミングの到来が検出されたとき、前記警報器の状態が正常である旨の報知を行い、前記タイミング検出手段によって報知タイミングの到来が検出されない状態が前記所定時間以上継続しても、前記警報器の状態が正常である旨の報知を行わない第２報知手段を備えたことを特徴とする請求項１に記載の警報器に存する。
【００１０】
請求項３記載の発明は、人の動き又は人による機器の使用状況を検出するための人センサを備え、前記タイミング検出手段は、前記人センサの検出結果に基づいて前記報知タイミングの到来を検出することを特徴とする請求項１又は２に記載の警報器に存する。
【００１１】
請求項４記載の発明は、他の警報器と通信を行う通信手段と、前記通信手段により前記他の警報器の状態が異常である旨を受信した場合、前記タイミング検出手段によって報知タイミングの到来が検出されたとき、及び、前記タイミング検出手段によって報知タイミングの到来が検出されない状態が所定時間以上継続したとき、前記他の警報器の状態が異常である旨を報知する第３報知手段と、を備えたことを特徴とする警報器に存する。
【００１２】
請求項５記載の発明は、ガスの消費量を計測し、当該計測した消費量をセンタ装置に送信するガスメータと、請求項３に記載された警報器と、を備え、前記ガスメータが、前記ガスの消費量及び前記警報器の人センサの検出結果に基づいて、人の異変を検出してその旨を前記センタ装置に送信することを特徴とする通報システムに存する。
【発明の効果】
【００１３】
以上説明したように請求項１記載の発明によれば、第１報知手段は、タイミング検出手段によって報知タイミングの到来が検出されない状態が所定時間以上継続したとき、警報器の状態が異常である旨を報知するので、人の動き又は人による機器の使用状況を検出するセンサの故障などが発生して、報知タイミングの到来を検出できない場合であっても、確実に警報器の状態が異常である旨を報知できる。
【００１４】
請求項２記載の発明によれば、警報器の状態が正常である場合は、報知タイミングの到来が検出できない状態が所定時間以上継続しても、正常である旨の報知をしないので、省電力化を図ることができる。
【００１５】
請求項３記載の発明によれば、警報器に備えられたセンサにより簡単に、人の動き又は人による機器の使用状況を検出することができる。
【００１６】
請求項４記載の発明によれば、他の場所に設置された他の警報器の状態が異常である旨を報知できる。
【００１７】
請求項５記載の発明によれば、警報器の人センサを流用して安価にかつ正確に、人の異変をセンタ装置に送信することができる。
【図面の簡単な説明】
【００１８】
【図１】本発明の警報器の一実施形態を示す電気構成図である。
【図２】図１に示すマイコンの報知処理手順を示すフローチャートである。
【図３】図１に示すマイコンの正常報知処理手順を示すフローチャートである。
【図４】図１に示すマイコンの異常報知処理手順を示すフローチャートである。
【図５】本発明のガスメータの一実施形態を示す電気構成図である。
【発明を実施するための形態】
【００１９】
以下、本発明の警報器を図１に基づいて説明する。同図に示すように、警報器１は、火災を検出する火災検出部２と、ガス濃度を検出するガス検出部３と、を備えている。
【００２０】
また、警報器１は、電池４と、この電池４の電池電圧を検出する電池電圧検出部５と、周囲の照度を検出する照度検出部６と、これら火災検出部２、ガス検出部３、電池電圧検出部５及び照度検出部６からの検出結果が供給されるマイクロコンピュータ（以下マイコン）７と、を備えている。
【００２１】
また、警報器１は、火災（＝異常）、ガス漏れ（＝異常）を表示で警報するＬＥＤ８と、火災、ガス漏れを音声で警報するスピーカ９と、ＬＥＤ８を駆動するための表示出力部１０と、スピーカ９を駆動するための音声出力部１１と、火災、ガス漏れなどの各種情報を外部に出力する外部出力送信部１２と、を備えている。
【００２２】
上記火災検出部２は周知の火災センサから構成され、ガス検出部３は周知のガスセンサから構成され、照度検出部６は周知の照度センサ（人センサ）から構成されている。電池４は、電源であり、警報器１に電源供給を行う。
【００２３】
マイコン７は、周知のＣＰＵ、ＲＯＭ、ＲＡＭから構成されていて、検出処理部７Ａと、警報処理部７Ｂと、報知処理部７Ｃ、記憶部７Ｄと、を備えている。検出処理部７Ａには、上述した火災検出部２及びガス検出部３の検出結果が供給されている。検出処理部７Ａは、この火災検出部２及びガス検出部３の検出結果から火災、ガス漏れを検出する。
【００２４】
警報処理部７Ｂは、表示出力部１０及び音声出力部１１を制御する。警報処理部７Ｂは、検出処理部７Ａにより火災又はガス漏れが検出されると、表示出力部１０及び音声出力部１１を制御してその旨を伝える警報を発生させる。
【００２５】
報知処理部７Ｃも、表示出力部１０及び音声出力部１１を制御する。報知処理部７Ｃは、状態検出手段として働き、電池電圧検出部５の検出結果に基づいて電池電圧が低下しているか（＝警報器１の状態が異常であるか）、電池電圧が正常であるか（＝警報器１の状態が正常であるか）を検出する。また、報知処理部７Ｃは、タイミング検出手段として働き、照度検出部６の検出結果から人による照明機器の使用状況を求め、これに基づいて報知タイミングが到来を検出する。例えば、室内の照明が点灯されて照度検出部６が暗から明を検出したとき、室内の照明が消灯されて照度検出部６が明から暗を検出したとき、人が近くにいて報知タイミングが到来したことを検出する。
【００２６】
さらに、報知処理部７Ｃは、第１報知手段として働き、電池電圧が低下していることを検出した場合、上記報知タイミングの到来が検出されたとき、及び、上記報知タイミングの到来が検出されない状態が所定時間以上継続したとき、表示出力部１０及び音声出力部１１を制御して、電池電圧の状態を示す旨を報知する。また、報知処理部７Ｃは、第２報知手段として働き、正常を検出した場合、上記報知タイミングの到来が検出されたとき、表示出力部１０及び音声出力部１１を制御して、警報器１が正常である旨を報知する。
【００２７】
記憶部７Ｄは、上記ＲＡＭ、ＲＯＭなどから構成され、マイコン７の処理に必要なデータなどが格納されている。
【００２８】
次に、上述した構成の警報器１の動作について図２〜図４に示すフローチャートを参照して説明する。マイコン７は、火災やガスの警報処理と並列して、図２に示す報知処理を実行する。マイコン７は、電池電圧検出部５から電池電圧を取り込んで、電池電圧を検出する（ステップＳ１）。次に、マイコン７は、取り込んだ電池電圧に基づいて電池電圧が低下しているか否かを検出する（ステップＳ２）。
【００２９】
マイコン７は、電池電圧が低下していなければ（ステップＳ２でＮ）、正常報知処理を行って（ステップＳ３）、ステップＳ１に戻る。これに対して、マイコン７は、電池電圧が低下していれば（ステップＳ２でＹ）、電池切れ報知処理を行って（ステップＳ４）、ステップＳ１に戻る。
【００３０】
上記ステップＳ３の正常報知処理の詳細について、図３を参照して以下、説明する。まず、マイコン７は、照度検出部６からの検出結果を監視していて、暗から明に切り替わったか否かを判定する（ステップＳ３１）。なお、ステップＳ３１において、マイコン７は、例えば、照度検出部６が検出した照度が閾値以下であれば暗、閾値以上であれば明と判断する。
【００３１】
マイコン７は、暗から明に切り替わると、報知タイミングの到来を検出して（ステップＳ３１でＹ）、スピーカ９から「正常です。」との音声を１回だけ出力させた後（ステップＳ３２）、処理を終了する。
【００３２】
また、マイコン７は、明から暗に切り替わったときも、報知タイミングの到来を検出する（ステップＳ３でＹ）。このとき、マイコン７は、例えば緑色のＬＥＤ８を一定時間（３秒程度）だけ点灯させた後（ステップＳ３４）、処理を終了する。
【００３３】
次に、上記ステップＳ４の電池切れ報知処理の詳細について、図４を参照して説明する。まず、マイコン７は、電池電圧の低下を検出して（ステップＳ２でＹ）、電池切れ報知処理に進むと、例えば赤色のＬＥＤ８を間欠的に点灯させる（例えば１０秒毎に１回点灯）（ステップＳ４１）。次に、マイコン７は、照度検出部６からの検出結果を監視して、暗から明に切り替わったか否かを判定する（ステップＳ４１）。
【００３４】
マイコン７は、暗から明に切り替わると、報知タイミングの到来を検出して（ステップＳ４２でＹ）、スピーカ９から「電池切れです」との音声を１０分毎に出力すると共に、１分毎にブザー音を出力した後（ステップＳ４３）、処理を終了する。このときステップＳ４１のＬＥＤ８での電池切れ報知は継続している。
【００３５】
また、マイコン７は、明から暗に切り替わると（ステップＳ４４でＹ）、音声やブザー音での電池切れ報知を停止させた後（ステップＳ４６）、処理を終了する。このときもステップＳ４１のＬＥＤ８での電池切れ報知は継続している。さらに、マイコン７は、明から暗に切り替わらない状態、即ち報知タイミングが到来しない状態が所定時間（例えば２４時間）以上継続すると（ステップ４５でＹ）、照度検出部６などが故障したと判断して、ステップＳ４３に進んで、スピーカ９から「電池切れです」との音声を１０分毎に出力すると共に、１分毎にブザー音を出力した後、処理を終了する。
【００３６】
上述した実施形態によれば、人が警報器１の近傍にいる場合に正常又は電池切れを報知することができ、無駄な消費電力を低減し、電池切れ時の警報器１の動作期間を延ばすことができる。また、警報器１の点検スイッチを押下して電池切れを確認する手間もなく、夜中に突然、電池切れを報知する音声やブザー音が出力されることもない。
【００３７】
上述した実施形態によれば、マイコン７は、報知タイミングの到来が検出されない状態が所定時間以上継続したとき、電池切れの音声報知を出力する。これにより、照度検出部６の故障などが発生して、報知タイミングの到来を検出できない場合であっても、確実に警報器１の状態を報知することができる。
【００３８】
また、上述した実施形態によれば、警報器１の状態が正常である場合は、報知タイミングの到来が検出できない状態が所定時間以上継続しても、正常である旨の報知をしないので、省電力化を図ることができる。
【００３９】
また、上述した実施形態によれば、警報器１に備えられた照度検出部６により簡単に、人による照明機器の使用状況を検出することができる。
【００４０】
なお、上述した実施形態によれば、ステップＳ４３で発生した１０分毎の音声及び１分毎のブザー音での電池切れ報知は、明から暗が検出されるまで継続させていたが、これに限ったものではない。例えば、電池切れ報知の出力から一定時間経過すると、１０分毎の音声及び１分毎のブザー音での電池切れ報知を停止させて、ＬＥＤ８での電池切れ報知のみを継続させるようにしてもよい。また、電池切れ報知の出力から一定時間経過すると、１０分毎の音声での電池切れ報知のみ停止させて、１分毎のブザー音での電池切れ報知、ＬＥＤ８での電池切れ報知を継続させるようにしてもよい。さらに、音声及びブザー音での電池切れ報知は、警報器１に設けた操作手段としてのスイッチの操作により停止、もしくは一時停止できるようにしてもよい。
【００４１】
また、上述した実施形態の警報器１によれば、照明機器の使用状況を検出するために照度検出部６を設け、正常状態においては、照度の明から暗（照明機器のオンからオフ）、暗から明（照明機器のオフからオン）を正常である旨の報知タイミングとし、電池切れ状態においては、照度の暗から明（照明機器のオンからオフ）を電池切れである旨の報知タイミングとしていたが、これに限ったものではない。例えば、照度検出部６に代えて、又は、照度検出部６に加えて人の動き検出する焦電センサを設けて、焦電センサが人の動き検出したときを報知タイミングとしてもよい。
【００４２】
また、照度検出部６に代えて、又は、照度検出部６に加えて、警報器１にガスメータ（図示せず）を接続して、ガスメータにより計測されたガス消費量が入力されるようにしてもよい。ガスメータからのガス消費量を入力することにより、マイコン７は人によるガス機器の使用状況を検出することができる。そこで、ガス消費量が所定量以上でガス機器を使用していることを検出したときを報知タイミングとしてもよい。
【００４３】
また、上述した実施形態によれば、警報器１の状態の報知として、電池切れの状態か、電池切れがない正常状態であるか、を報知していたが、これに限ったものではない。例えば、警報器１の故障状態であることを報知するようにしてもよい。また、交換期限が迫っている状態であることを報知するようにして、交換せずに放置される期間を短くすることができる。また、１か月以上点検操作が行われていない状態であること、を報知するようにしてもよい。警報器１には月１回の点検を推奨しているが、ガス漏れなどの異常がない場合は存在すら忘れされていることもあり、人がいる状態で、１か月以上点検操作が行われていない状態であることを報知することで、警報器１の存在を認識し、警報器を正しい状態で使用することができる。
【００４４】
また、上述した実施形態によれば、警報器１自体の状態を報知していたが、これに限ったものではない。例えば、警報器１を比較的人がいるキッチンに配置し、警報器１が寝室など他の場所に配置された他の警報器（図示せず）と通信する通信手段としての通信部（図示せず）を備えるようにしてもよい。この場合、警報器１のマイコン７は、第３報知手段として働き、通信部により他の警報器の状態が異常である旨を受信した場合、報知タイミングの到来が検出されたとき、及び、報知タイミングの到来が検出されない状態が所定時間以上継続したとき、他の警報器の状態が異常である旨を報知するようにしてもよい（例えば、「他の警報器が故障です」、「寝室の警報器が故障です」など）。
【００４５】
次に、上述した警報器を組み込んだ通報システムについて図５を参照して説明する。同図に示すように、通報システム２０は、上記警報器１と、ガスの消費量を計測し、当該計測した消費量を図示しないセンタ装置に送信するガスメータ３０と、を備えている。
【００４６】
ガスメータ３０は、ガスの流量を計測する流量センサ３１と、流量センサ３１からの計測値に基づいてガスの消費量及びその積算値を演算するマイコン３２と、マイコン３２が演算したガス消費量の積算値を表示する表示部３３と、図１に示す警報器１に接続するための外部接続部３４と、センタ装置（図示せず）と通信するための通信部３５と、を備えている。
【００４７】
上記ガスメータ３０は、ガスの消費量を計測し、計測したガス消費量をセンタ装置に送信するガス計測機能に加えて、例えば、高齢者の見守り機能を備えている。高齢者の見守り機能とは、例えば、ガス消費量が０の状態が一定期間以上継続すると高齢者（人）の異変を検出して、センタ装置に通報する機能である。この見守り機能を備えたガスメータ３０に上述した警報器１を接続して、ガス消費量だけでなく、照度検出部６の検出結果に基づいて高齢者の異変を検出して、センタ装置に通報するようにしてもよい。
【００４８】
即ち、ガスメータ３０のマイコン３２は、例えば、ガス消費量がなく、かつ、照度検出部６の検出結果から照度が明から暗、暗から明の切り替えも検出されない（即ち、照明機器の操作が行われていない）状態が一定期間以上継続するとセンタ装置に通報するようにしてもよい。このようにガス消費量だけでなく、照度検出部６からの検出結果も考慮することにより、安価にかつ正確に高齢者の異変を検出することができる。
【００４９】
なお、この場合、ガスメータ３０は、警報器１だけでなく、例えば、ポットとも接続できるようになっていて、ガス消費量もなく、照明機器の操作もポットの操作もされていない状態が一定期間以上継続したときにセンタ装置に通報するようにしてもよい。
【００５０】
また、上述した実施形態によれば、ガス漏れと火災を警報する複合型の警報器１であったが、これに限ったものではない。例えば、ガス漏れのみを警報するガス警報器に適用してもよいし、火災のみを警報する火災警報器に適用してもよい。また、一酸化炭素の発生を警報するＣＯ警報器に適用することも考えられる。
【００５１】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００５２】
１  警報器
６  照度検出部（人センサ）
７  マイコン（状態検出手段、タイミング検出手段、第１報知手段、第２報知手段）
２０  通報システム
３０  ガスメータ
【図１】
2015184964.tif 000003
【図２】
2015184964.tif 000004
【図３】
2015184964.tif 000005
【図４】
2015184964.tif 000006
【図５】
2015184964.tif 000007